(57)【特許請求の範囲】
【請求項１】
被調和室を監視して運転制御する空気調和機であって、
室内の人を検出する人検知手段と、
監視条件が被調和室を監視する在室モニタの場合には、現在時刻が被調和室を監視する第１の時間帯であり、且つ、空気調和機の運転中に人の不在を判定する第２の時間連続して前記人検知手段で人を検知しない時に運転を停止し、これ以外で運転を継続し、
監視条件が前記在室モニタでない場合には、前記第１の時間帯に関係なく、空気調和機の運転中に人の不在を判定する第２の時間連続して前記人検知手段で人を検知しない時に運転を停止し、人を検知した時には運転を継続する制御手段とを備えた空気調和機。
【請求項２】
前記第１の時間帯を設定する時間帯設定手段を備えたことを特徴とする請求項１に記載の空気調和機。
【請求項３】
前記第２の時間を設定する監視時間設定手段を備えたことを特徴とする請求項１に記載の空気調和機。
【請求項４】
被調和室を監視して空気調和機を運転制御する空気調和システムであって、
室内の人を検出する人検知手段と、
現在時刻が被調和室を監視する第１の時間帯であり、且つ、空気調和機の運転中に前記人検知手段で人を検知しない時にカウントを行い、前記人検知手段で人を検知した時にカウントした時間をリセットする監視手段とを有する空気調和機と、
前記空気調和機を操作する外部情報端末とを備え、
監視条件が被調和室を監視する在室モニタの場合には、前記監視手段でカウントした時間が人の不在を判定する第２の時間経過した時に前記外部情報端末に通知するとともに、
監視条件が前記在室モニタでない場合には、前記第１の時間帯に関係なく、空気調和機の運転中に人の不在を判定する第２の時間連続して前記人検知手段で人を検知しない時に前記外部情報端末に通知する空気調和システム。
【請求項５】
被調和室を監視して空気調和機を運転制御する空気調和システムであって、
室内の人を検出する人検知手段と、
空気調和機の運転中に前記人検知手段で人を検知しない時にカウントを行い、前記人検知手段で人を検知した時にカウントした時間をリセットする監視手段とを有する空気調和機と、
前記空気調和機を操作する外部情報端末とを備え、
監視条件が被調和室を監視する在室モニタの場合には、前記監視手段でカウントした時間が人の不在を判定する第２の時間経過し、且つ、前記監視手段がカウントを開始した時の時刻が被調和室を監視する第１の時間帯である場合に前記外部情報端末に通知するとともに、
監視条件が前記在室モニタでない場合には、前記第１の時間帯に関係なく、空気調和機の運転中に人の不在を判定する第２の時間連続して前記人検知手段で人を検知しない時に前記外部情報端末に通知する空気調和システム。
【請求項６】
前記外部情報端末は前記第１の時間帯を設定する時間帯設定手段を有することを特徴とする請求項４又は５に記載の空気調和システム。
【請求項７】
前記外部情報端末は前記第２の時間を設定する監視時間設定手段を有することを特徴とする請求項４又は５に記載の空気調和システム。
【発明の詳細な説明】
【技術分野】
【０００１】
本発明は居室内の空気を調和する空気調和機又は空気調和システムに係る。
【背景技術】
【０００２】
空気調和機は、居室内に設けられた室内機と室外に設けられた室外機から構成され、居室の温度や湿度を調整する。室外に設けられた室外機で冷却又は加熱された冷媒を室内機に誘導し、室内機内の熱交換器で室内空気と熱交換することによって居室内を冷房又は暖房が行われる。更に、これらの冷房機能、暖房機能に加えて、居室内の湿度を調整する除湿も行われる。
【０００３】
特許文献１には、被調和室での人又は動物の有無を検知する人体検出器を備え、被調和室に在宅の条件を設定して運転を行った際に、人体検出器が所定時間にわたって人または動物の移動を検知できなかった時に、被調和室外へつながる通信媒体を介して所定のセンターまたは端末へ通報を行う制御装置を備えた空気調和機の制御装置が記載されている。
【先行技術文献】
【特許文献】
【０００４】
【特許文献１】特開２０００−３４６４２６号公報
【発明の概要】
【発明が解決しようとする課題】
【０００５】
例えば、使用者が空気調和機の運転を消し忘れて、所定時間にわたって被調和室で人が検知されない状態で空気調和機が運転を継続することがある。この場合、空気調和機の運転を停止させる機能を備えることで、消費電力を低減することができる。
【０００６】
しかしながら、所定時間にわたって被調和室で人が検知されない場合であっても、例えば、帰宅後に快適な居室状態にしたいと考え、帰宅前に宅外から空気調和機の運転を開始する場合や、睡眠中で人が検出されない場合など、使用者が空気調和機の運転継続を希望することがある。
【０００７】
そこで、本発明は、被調和室で人が検知されない場合において、空気調和機の運転継続と運転停止とを使い分け、使用者の快適性を損なわずに消費電力を低減する空気調和機を提供することを目的とする。
【課題を解決するための手段】
【０００８】
本発明に係る空気調和機は、被調和室を監視して運転制御する空気調和機であって、室内の人を検出する人検知手段と、監視条件が被調和室を監視する在室モニタの場合には、現在時刻が被調和室を監視する第１の時間帯であり、且つ、空気調和機の運転中に人の不在を判定する第２の時間連続して前記人検知手段で人を検知しない時に運転を停止し、これ以外で運転を継続し、監視条件が前記在室モニタでない場合には、前記第１の時間帯に関係なく、空気調和機の運転中に人の不在を判定する第２の時間連続して前記人検知手段で人を検知しない時に運転を停止し、人を検知した時には運転を継続する制御手段とを備える。
【発明の効果】
【０００９】
本発明によれば、被調和室で人が検知されない場合において、空気調和機の運転継続と運転停止とを使い分け、使用者の快適性を損なわずに消費電力を低減する空気調和機を提供することができる。
【図面の簡単な説明】
【００１０】
【図１】実施例１に係る空気調和機の構成を示す構成図である。
【図２】実施例１に係る室内機の側断面図である。
【図３】実施例１に係る空気調和システムの構成を示すブロック図である。
【図４】実施例１に係る消し忘れ情報を通知するモードを実施する制御フローを示すフローチャート図である。
【図５】実施例１に係る消し忘れ情報を通知実施するための動作図例である。
【図６】実施例１に係る消し忘れ情報を通知実施するためのＧＵＩソフトウエアのイメージ図である。
【図７】実施例２に係る窓等が開いている状態を通知するモードを実施する制御フローを示すフローチャート図である。
【図８】実施例２に係る環境設定を行うＧＵＩソフトウエアのイメージ図である。
【図９】実施例２に係る環境設定を行うＧＵＩソフトウエアのイメージ図である。
【図１０】実施例２に係る環境状況を表示するＧＵＩソフトウエアのイメージ図である。
【図１１】実施例３に係る宅外から空調運転操作を行った際に窓等が開いている状態を通知するモードを実施する制御フローを示すフローチャート図である。
【発明を実施するための形態】
【００１１】
以下、本発明の実施例について図面を用いて詳細に説明するが、本発明は以下の実施例に限定されることなく、本発明の技術的な概念の中で種々の変形例や応用例もその範囲に含むものである。
【実施例１】
【００１２】
図１に示すように空気調和機は室内機１０と室外機１２から構成され、室内機１０は家庭や事務所の居室に設けられ、居室内を冷房又は暖房したりして居室内の空気を空調する。また、室内機１０に送る冷媒を冷却又は加熱する室外機１２は室内機１０と通信ケーブル、給電ケーブル（図示せず）を介して互いに接続され、これらのケーブルによって制御情報を送受信し、また電力を供給する。
【００１３】
リモートコントローラ１４は操作者によって操作され、室内機１０のリモートコントローラ送受信部１６に対して信号を送信する。この送受信される信号の内容は、運転要求、設定温度の変更、タイマ、運転モードの変更、停止要求等の指令である。空気調和機は、これらの信号に基づいて、冷房モード、暖房モード、除湿モードなどの空調運転モードを実行する。また、これとは別に室内機１０のリモートコントローラ送受信部１６から、室温情報、湿度情報、電気代情報などの状態情報をリモートコントローラ１４に送信する構成も採用することができる。
【００１４】
又、室内機１０の前面パネル３４の左右方向で見て中央付近の下部には、室内環境検出手段４６が設置されている。室内環境検出手段４６は、撮像手段及び人体を検出可能な画像処理ソフトウエアを用いた画像処理手段や、フレネルレンズ及び赤外線センサによって構成される活動量検出センサ、空調室内の明るさを検出する照度センサなどが設けられる。これらのセンサは空気調和機が有する機能モードの仕様に合わせて備えられていれば良いものである。
【００１５】
尚、一度に室内空間全体を撮影できない視野角の撮像手段を用いる場合、撮像手段を左右方向に駆動可能な構成にしてもよい。
【００１６】
撮像手段は室内機１０が設置される室内を撮像する。撮像手段は、例えば、ＣＣＤ（Ｃｈａｒｇｅ  Ｃｏｕｐｌｅｄ  Ｄｅｖｉｃｅ）カメラであり、前面パネル３４の左右方向中央の下部に設置されている（図１参照）。また、カメラは、レンズの光軸が水平線に対して所定角度だけ下方を向くように設置され、室内機１０が設置されている室内を適切に撮像することができる。
【００１７】
駆動手段はカメラを左右方向に駆動し、カメラで撮像される室内のエリアを変える。例えば、カメラは駆動手段であるステッピングモータの軸と接続され、モータの運転により所定の角度の範囲内で往復する。この場合、モータは、所定の角度の範囲内を複数に分割したエリア毎に撮像のため停止し、撮像後は次のエリアへカメラを向けるために運転を再開する。なお、カメラの駆動の速さに比較して撮像に要する時間が十分に短い場合、ステッピングモータは連続して運転してもよい。駆動手段は、空気調和機の運転中は１分ごとに室内の左エリア、中央エリア及び右エリアを撮像できる位置にカメラを向ける。これにより、視野角の狭く安価なカメラを使用しても、室内を広範囲に撮像することが可能となる。
【００１８】
尚、カメラの代わりに、焦電型赤外線センサによって室内に人物がいるかどうか判断してもよい。又、室内の明るさに係らず、カメラの代わりにサーモパイルによって室内に人物があるかどうか判断してもよい。但し、猫や犬を人物と誤検出することを避けるために、カメラによって人物を検出することが望ましい。又、検出精度を高めるために、カメラと、焦電型赤外線センサ若しくはサーモパイルの両方を用いて人物を検出してもよい。
【００１９】
図２は室内機１０の側断面を示しており、筐体ベース２２は、熱交換器２４、送風ファン２６、フィルタ２８などの内部構造体を収容している。熱交換器２４は複数本の伝熱管２４ａを有し、送風ファン２６により室内機１０内に取り込まれた空気を、伝熱管２４ａを通流する冷媒と熱交換させ、空気を加熱又は冷却するように構成されている。尚、伝熱管２４ａは冷媒配管（図示せず）に連通し、周知の冷媒サイクル（図示せず）の一部を構成している。
【００２０】
左右風向板３０は、室内機１０に設けた運転制御手段（図示せず）からの指示に従い、下部に設けた回動軸（図示せず）を支点にして左右風向板用モータ（図示せず）により回動される。上下風向板３２は運転制御手段からの指示に従い、両端部に設けた回動軸（図示せず）を支点にして上下風向板用モータ（図示せず）により回動される。
【００２１】
前面パネル３４は室内機１０の前面を覆うように設置されており、下端を軸として前面パネル用モータ（図示せず）により回動可能な構成となっている。ちなみに、前面パネル３４を下端に固定されるものとして構成しても良い。
【００２２】
図２に示す送風ファン２６が回転することによって、空気吸込み口３６及びフィルタ２８を介して室内空気を取り込み、熱交換器２４で熱交換された空気が吹出し風路に導かれる。さらに、吹出し風路に導かれた空気は、左右風向板３０及び上下風向板３２によって風向きを調整され、空気吹出し口３８から外部に送り出されて室内を空調する。
【００２３】
尚、空気調和機は壁掛け式の室内機１０だけでなく、床置き式の室内機や天井埋め込み式の室内機、または、室外機１台に対し、複数台の室内機が接続される構成の空気調和機でもよい。
【００２４】
図３は、室内機１０が備える空気調和機側制御手段４０を含む空気調和機、及び、スマートフォンやタブレットＰＣ等の外部情報端末４２を含む空気調和システムの構成を示すブロック図である。空気調和機の負荷４４は、例えば、室内機１０が備える室内ファンモータ（図示せず）、室外機１２が備える圧縮機モータ（図示せず）、左右風向板３０に設置される左右風向板用モータ（図示せず）を含んでいる。これらの負荷４４は、制御手段４０からの制御駆動信号に従って駆動される。
【００２５】
室内機１０の空気調和機側制御手段４０には、室内機１０に内蔵されている室温センサ、湿度センサ、その他の上述した各種センサ等からなる室内環境検出手段４６の検出信号が入力されている。空気調和機側制御手段４０は、設定された空調運転モード毎に室外機１２と通信を行って圧縮機等の運転制御や、風速や風向、空調出力の管理等の空気調和機全体の運転制御を駆動制御部４８にて管理する。駆動制御部４８はマイクロコンピュータ、ＲＯＭ、入出力ＬＳＩ等から構成されている。
【００２６】
尚、本実施例においては駆動制御部４８に設けられている記憶手段とは別に記憶手段５０を備えており、この記憶手段５０には必要に応じて各種の情報、例えば現在の室内環境検出手段４６の検出情報、前回の空調運転で実行した運転情報や設定情報、及びその時の室内環境検出手段４６の検出情報等が記憶されるようになっている。例えば、室内環境検出手段４６として、居室内の輻射熱を測るサーモパイルや、光源識別を行い空調室内の生活シーンを判定する光源識別センサ、居室内の環境音のパターン認識から居室内の生活シーンを判定する音センサ等を用いる。
【００２７】
又、室内環境検出手段４２として人検知手段４７を備えている。例えば、カメラによって居室内を撮影して顔認識、身体認識を行うことで在室者を検出する画像認識センサ等を用いる。
【００２８】
尚、空気調和運転の詳細な運転制御は良く知られたものであり、敢えてここでは説明しないが、本実施例を適用する空気調和機毎に適した運転制御を行う。
【００２９】
空気調和機側制御手段４０はリモートコントローラ１４とは別に、音声認識手段を備えた外部情報端末４２、例えばスマートフォンやタブレットＰＣとインターネット等の通信網ＩＴを介して情報通信が可能な構成であり、外部情報端末４２を通して空気調和機の操作者からの運転制御情報を受信した場合、受信した運転制御情報に応じて空調運転やデータの通信等を行う構成となっている。この通信方式については、赤外線通信、無線ＬＡＮやＪＩＧＢＥＥ、特定小電力無線による電波通信、ＦＭ電波やＡＭ電波による通信等のいずれかの通信方式を使用することができる。
【００３０】
空気調和機の操作者からは、リモートコントローラ１４又は外部情報端末４２を介して空気調和機の室内機１０の空気調和機側制御手段４０へ運転制御情報を送信することが可能な構成となっている。
【００３１】
操作者から外部情報端末４２への入力は、キー５２を用いたキー操作による手入力と、外部情報端末４２に備えられているマイク５４と音声認識手段（音声認識ソフトウエアによる）５６による音声発話による入力とが可能な構成となっている。また、外部情報端末４２は、音声による報知を行うためのスピーカ５８、及び液晶ディスプレイ等よりなる表示部６０を備えることにより、操作者へ種々の情報を報知することができる。
【００３２】
外部情報端末４２は内部に外部情報端末側制御手段６２を備えており、キー５２、マイク５４及び音声認識手段５６からの入力情報が入力され、これらの入力情報は外部情報端末側制御手段６２に備えられた演算装置６６によって演算されて所定の制御信号に変換されるものである。この所定の制御信号は本実施例では空気調和機の負荷の駆動を指示する制御信号である。また、演算装置６６はマイクロコンピュータ、ＲＯＭ、入出力ＬＳＩ等から構成されている。
【００３３】
外部情報端末側制御手段６２は、音声合成手段（音声合成ソフトウエアによる）６４を備え、制御信号に対応した運転情報をスピーカ５８に送って音声による報知を行うことができる。また音声とは別に表示部６０によって文字データによって運転情報を報知することができるようになっている。更に、外部情報端末側制御手段６２は室内機１０の空気調和機側制御手段４０から送られてくる報知信号を音声合成手段６４に送って音声データに変換したり、表示データに変換する機能を備えている。したがって、これによって、後述する注意喚情報がスピーカ５８や表示部６０で報知されることになる。
【００３４】
次に、図４に示すフローチャート、図５に示す動作図例、図６に示すＧＵＩソフトウエアのイメージ図に基づいて説明する。図４のフローチャートは、本実施例の基本的な制御フローを示しており、この制御フローは空気調和機側制御手段４０によって実行される。以下、処理ステップ毎にその機能を説明する。尚、消し忘れ通知情報を送信するモードを実行するかは選択可能であり、例えば、外部情報端末４２を操作することで、図６に示すＧＵＩソフトウエアのイメージ図の様に注意喚起情報を送信するモードのオンオフを切換え可能とし、通知設定の場合のみ監視条件８２、監視時間８３、通知時間帯８４を表示するようにしてもよい。
【００３５】
ステップＳ４０では、現在の空気調和機の運転状態を判別している。ステップＳ４０で空調運転がされていないと判断されると外部情報端末４２に注意喚起情報を送信する処理ステップの実行を省略してＥＮＤに進む。
【００３６】
ステップＳ４０で空調運転がされていると判断すると、ステップＳ４１Ａに進む。ステップＳ４１Ａでは、監視条件８２として在室モニタが選択されているか否か判断し、在室モニタが選択されている場合、ステップＳ４１Ｂに進む。監視条件８２として在室モニタが選択されていない場合、ステップＳ４２に進む。尚、ステップＳ４０で空調運転がされていると判断すると、図６に示すＧＵＩソフトウエアのイメージ図のように監視条件８２を選択できるようにしてもよい。
【００３７】
ステップＳ４１Ｂでは、室内に人物がいるかどうかの判断を実行する。室内に人物がいるかどうかは室内環境検出手段４６によって検出することができ、室内が明るい場合はカメラを使用して画像認識を行い人物の存在を検出することができる。一方、室内が暗い場合はサーモパイルを使用して熱源認識を行い人物の存在を検出することができる。ステップＳ４１Ｂにおいて、室内に人物が存在していないと判断されると、ステップＳ４２Ａに進む。室内に人物がいると判断されると処理ステップの実行を省略してＥＮＤに進む。尚、ステップＳ４１Ａで監視条件８２として連続運転を選択した場合、人物の有無の判断に関係なくステップＳ４１Ｂを省略してステップＳ４２Ａに進む。
【００３８】
ステップＳ４２Ａでは通知時間帯８４を確認し、ステップＳ４３Ｂで現在の時刻が設定時間帯か否かを判断する。現在の時刻が設定時間帯である場合はステップＳ４３に進み、現在の時刻が設定時間帯でない場合はＥＮＤに進む。設定時間帯は、常時又は時刻指定を選択し、具体的な時間帯（例えば、８：００〜１７：００）を選択する。例えば、平日の仕事や学校に行っており、家を留守にする時間が決まっているような場合に監視時刻を設定する事で、誤通知を抑制する事が出来る。尚、時刻指定を選択した場合は、図６に示すＧＵＩソフトウエアのイメージ図のように通知時間帯８４を時刻指定にした場合のみ時刻の項目を表示するようにしてもよい。
【００３９】
ステップＳ４３では、ステップＳ４２Ａで通知時間帯を設定しない場合又はステップＳ４２Ｂで設定した時間帯であると判断される場合に、監視時間８３を経過したか判定を行う。図６に示すＧＵＩソフトウエアのイメージ図のように監視時間８３を選択でき、例えば３０分単位で１２時間まで選択できるようにし、この監視時間を経過した時に、消し忘れの可能性を外部情報端末４２に送信する。
【００４０】
図５に示す動作図例は、通知設定８１、監視条件８２として在室モニタあり、監視時間８３として６０分、通知時間帯８４として時刻指定８：００〜１７：００を選択した時の例である。この例では、空調状態が運転中、在室モニタで人が検出されず、現在の時刻が通知時間帯８４の範囲内である３つの条件が重なった時（８：００）にタイマのカウントがスタートし、設定した監視時間（６０分）継続した時刻（９：００）に消し忘れと判断して通知を行う。
【００４１】
以上説明した通り、本実施例に係る空気調和機は、室内の人を検出する人検知手段４７と、現在時刻が第１の時間帯（通知時間帯８４）であり、且つ、空気調和機の運転中に第２の時間（監視時間８３）連続して人検知手段４７で人を検知しない時に運転を停止する制御手段４０とを備える。
【００４２】
尚、現在時刻とは、人検知手段４７で人を検知しない時から第２の時間（監視時間８３）経過した時を基準としてもよく、又、人検知手段４７で人を検知しない時でカウントを開始した時を基準としてもよい。
【００４３】
又、第１の時間帯（通知時間帯８４）を設定する時間帯設定手段を備える。又、第２の時間（監視時間８３）を設定する監視時間設定手段を備える。
【００４４】
本実施例の空気調和システムは、室内の人を検出する人検知手段４７と、現在時刻が第１の時間帯（通知時間帯８４）であり、且つ、空気調和機の運転中に人検知手段４７で人を検知しない時にカウントを行い、人検知手段４７で人を検知した時にカウントをリセットする監視手段とを有する空気調和機と、空気調和機を操作する外部情報端末４２とを備え、監視手段でカウントした時間が第２の時間（監視時間８３）を経過した時に外部情報端末４２に通知する。
【００４５】
又、空調運転中であり、在室モニタで人が検出されない場合の２つの条件が重なった時にタイマのカウントがスタートし、設定した監視時間（６０分）継続した時の時刻が通知時間帯８４の範囲内である場合に消し忘れと判断して通知を行うようにしてもよい。すなわち、空気調和機の運転中に人検知手段４７で人を検知しない時にカウントを行い、人検知手段４７で人を検知した時にカウントした時間をリセットする監視手段とを有する空気調和機と、空気調和機を操作する外部情報端末４２とを備え、監視手段でカウントした時間が第２の時間（監視時間８３）を経過し、且つ、監視手段がカウントを開始した時の時刻が第１の時間帯（通知時間帯８４）である場合に外部情報端末４２に通知するようにしてもよい。
【００４６】
尚、本実施例の空気調和システムでは消し忘れと判断した場合に通知を行うこととしたが、通知の代わりに又は通知とともに、空気調和機の運転を停止するようにしてもよい。
【００４７】
ステップＳ４０、Ｓ４１、Ｓ４２、Ｓ４３は独立した条件のため、処理の順番は変更してもよい。本実施例では外部情報端末を用いて操作する場合について説明したが、リモートコントローラ１４等他の機器を用いて消し忘れ通知情報を送信するモードを実行できるようにしてもよい。
【実施例２】
【００４８】
次に、実施例２について図７に示すフローチャート及び図８に示すＧＵＩソフトウエアのイメージ図に基づき説明する。実施例２は実施例１に加えて、窓等の開閉の情報を判断し長時間運転していると判断した場合に外部情報端末に通知するものである。
【００４９】
環境設定には、図８に示すＧＵＩソフトウエアのイメージ図に基づき説明する。ユーザはレイアウト選択ボタン９１でＬ字型等部屋の形状を選択し、広さ選択ボタン９２で部屋の広さを選択する。さらに、詳細ボタン９３から窓、扉、ふすまのように空間に変化を与える要因を追加し、図９に示すような間取りに窓、扉、ふすまを追加した環境設定情報を記憶できるようにしてもよい。そして、入力された項目に基づく部屋の形状を間取り表示部９４に表示する。項目入力後、送信ボタン９５を押すことで、入力した環境設定情報を記憶する。尚、空気調和機の設置時や所定期間毎にカメラを用いて室内の間取りを検出し、環境設定情報として記憶するようにしてもよく、又、外部情報端末等に予め記憶された複数の間取りのうち、カメラを用いて空調室内の間取りを検出した結果に最も近い間取りを環境設定情報として記憶するようにしてもよい。
【００５０】
ステップＳ５０では、現在の空気調和機の運転状態を判別している。ステップＳ５０で空調運転がされていないと判断されると外部情報端末４２に注意喚起情報を送信する処理ステップの実行を省略してＥＮＤに進む。ステップＳ５０で空調運転がされていると判断すると、ステップＳ５１に進む。
【００５１】
ステップＳ５１では、環境設定情報として記憶している間取りとカメラで空間を検知した情報が同じであると判断した場合、処理ステップの実行を省略してＥＮＤに進む。ステップＳ５１で、環境設定情報として記憶している間取りとカメラで空間を検知した情報に差異があったと判断した場合、環境設定情報として記憶している間取りとカメラで空間を検知した情報が同じになるまで監視時間をカウントする。ステップＳ５２では、監視時間が所定時間を経過したか否かを判断する。ステップＳ５２で監視時間が所定時間経過したと判断した場合、ステップＳ５３に進む。
【００５２】
ステップＳ５３では、室内環境検出手段４６の室温センサで検出した温度（以下、「室温」という。）が設定温度から所定の範囲内にあるか否かを判断する。室温が設定温度から所定の範囲内にない場合、ステップＳ５４に進む。室温が設定温度から所定の範囲内にある場合、ステップＳ５１での判断は誤検出であると判断し、ＥＮＤに進む。
【００５３】
尚、ステップＳ５３は省略してもよく、その場合、ステップＳ５２で監視時間が所定時間経過したと判断した場合、ステップＳ５４に進む。
【００５４】
設定温度は監視時間開始時の設定温度を基準とし、設定温度が変更され、室温と設定温度が乖離する状態を含まないようにしている。尚、監視時間開始時の設定温度の代わりに、室温センサで検出する時の設定温度を基準としてもよい。
【００５５】
ステップＳ５４では、窓等が開いたまま空調運転がされていることを外部情報端末に通知する。また、図１０に示すＧＵＩソフトウエアのイメージ図のように窓が開いているという状態を、更新ボタンを押下毎に現在の状態を更新し視覚的に表示してもよい。また、室内温度を表示してもよい。また、通知頻度が多くなりすぎるとユーザに不快感を与えるため、通知から２４ｈは再通知しない機能を追加してもよい。
【実施例３】
【００５６】
次に、実施例３について図１１に示すフローチャートに基づき説明する。実施例３は、実施例２に加え、宅外から操作を行った際に窓等が開いていると判断した場合に外部情報端末に通知するものである。
【００５７】
ステップＳ６０では、宅外から空気調和機の操作が行われたか否かを判断する。人検知手段で室内の人を検出していない状態で空気調和機の操作がなされた時に、宅外から空気調和機の操作が行われたと判断する。尚、空気調和機の操作のうち、空気調和機の運転停止時に運転開始の操作のみを対象としてもよい。
【００５８】
ステップＳ６１では、実施例２のステップＳ５１と同様、環境設定情報として記憶している間取りとカメラで空間を検知した情報が同じであると判断した場合、処理ステップの実行を省略してＥＮＤに進む。環境設定情報として記憶している間取りとカメラで空間を検知した情報に差異があったと判断した場合、ステップＳ６２に進む。尚、実施例３では、実施例２のステップＳ５２、ステップＳ５３を省略しているが、処理に追加してもよい。
【００５９】
ステップＳ６２では、窓等が開いたまま空調運転が開始されたことを外部情報端末に通知する。この通知は運転を行った時の操作結果の通知に追加して通知してもよいし、単独で通知してもよい。
【符号の説明】
【００６０】
１０…室内機、１２…室内機、１４…リモコン、２２…筺体ベース、２４…熱交換器、３０…左右風向板、３２…上下風向板、３４…前面パネル、４０…空気調和機側制御手段、４２…外部情報端末、４４…負荷、４６…室内環境検出手段、４８…駆動制御部、５０…記憶手段、５４…マイク、５６…音声認識手段、５８…スピーカ、６０…表示部、６２…外部情報端末側制御手段、６４…音声合成手段、６６…演算装置、８１…通知設定、８２…監視条件、８３…監視時間、８４…通知時間帯
【図１】
0006285815.tif 000002
【図２】
0006285815.tif 000003
【図３】
0006285815.tif 000004
【図４】
0006285815.tif 000005
【図５】
0006285815.tif 000006
【図６】
0006285815.tif 000007
【図７】
0006285815.tif 000008
【図８】
0006285815.tif 000009
【図９】
0006285815.tif 000010
【図１０】
0006285815.tif 000011
【図１１】
0006285815.tif 000012